(57)【特許請求の範囲】
【請求項１】
高さとこの高さよりも大きな寸法の幅と長さを有する矩形板状に形成された筐体と、
前記筐体に設けられ、バッテリーの厚さに対応した高さとこの高さよりも大きな寸法のバッテリーの幅に対応した幅とバッテリーの長さに対応した奥行きを有するバッテリー収容室と、
前記バッテリー収容室の開口を開閉する蓋体と、
前記バッテリー収容室の奥部に配置され前記バッテリー収容室に収容されたバッテリーを前記開口から突出させる方向に付勢するバッテリー押し出しばねとを備えた電子機器であって、
前記バッテリー収容室はその高さが前記筐体の高さと同じ向きになるように設けられ、
前記筐体の内部に、前記筐体の幅方向および長さ方向に延在する薄板状のシャーシと、合成樹脂製のハウジングとが設けられ、
前記ハウジングは、前記バッテリー収容室の高さ方向の一方の面をなし前記バッテリー収容室の幅と奥行きを有する底壁と、前記底壁の幅方向の両側から起立する側壁と、前記底壁の奥行き方向の端部から起立する奥部壁とを備え、
前記シャーシと前記底壁が平行に対向し、かつ、前記両側の側壁の先端と前記奥部壁の先端とが前記シャーシに臨むように、前記シャーシとハウジングとが前記筐体の高さ方向に並べられて配設され、
前記バッテリー収容室は前記シャーシとハウジングとにより形成され、
前記バッテリー押し出しばねは、直線状に延在する支軸と、前記支軸の一方の端部に設けられた係止軸と、前記支軸の他方の端部に設けられた付勢用軸とを備え、前記係止軸により前記支軸の一方の端部の回転が阻止された状態で用いられ、前記付勢用軸が前記支軸を支点に揺動することで前記支軸の他方の端部が回転し、これにより、前記支軸のねじれによりその付勢力が前記付勢用軸に作用するトーションばねであり、
前記支軸は前記バッテリー収容室の奥部で該バッテリー収容室の幅方向に延在するように前記バッテリー収容室を形成する壁部で支持され、
前記係止軸は、前記支軸の一方の端部の回転を阻止するように前記バッテリー収容室を形成する壁部に係止され、
前記付勢用軸はその先端が前記バッテリー収容室の奥部に臨み前記バッテリー収容室に収容されるバッテリーの端面に係合して前記支軸を支点に揺動する、
ことを特徴とする電子機器。
【請求項２】
前記支軸は、前記バッテリー収容室の前記高さ方向の一方の端部寄りの箇所に配置されていることを特徴とする請求項１記載の電子機器。
【請求項３】
前記支軸は、前記バッテリー収容室の前記高さ方向の一方の端部寄りの箇所に配置され、前記バッテリー収容室の前記高さ方向の他方の端部寄りの箇所を構成する壁面には、前記付勢用軸の揺動時に該付勢用軸の先端を前記バッテリー収容室外に逃がす切り欠きが設けられていることを特徴とする請求項１記載の電子機器。
【請求項４】
前記バッテリー収容室の奥部で幅方向の一方の半部に前記バッテリーの端子に接続された端子が設けられ、前記バッテリー収容室の奥部で幅方向の他方の半部で前記バッテリー収容室の前記高さ方向の一方の端部寄りの箇所に前記支軸が延在し、前記付勢用軸は、前記バッテリー収容室の奥部で幅方向の中央に位置していることを特徴とする請求項１記載の電子機器。
【請求項５】
前記係止軸は、前記バッテリー収容室を形成する壁部に設けられた係止軸収容溝に収容されることで前記支軸の一方の端部の回転を阻止するように配設されており、前記係止軸収容溝は前記バッテリー収容室の奥部で幅方向の端部の角部寄りの箇所に設けられていることを特徴とする請求項１記載の電子機器。
【請求項６】
前記付勢用軸の前記支軸を支点とする揺動は、前記幅方向に対して直交する仮想平面内で行なわれることを特徴とする請求項１記載の電子機器。
【請求項７】
前記付勢用軸の前記支軸を支点とする揺動は、前記幅方向に対して直交する仮想平面内で行なわれ、前記付勢用軸の先部には、前記仮想平面上を延在する湾曲部が設けられ、前記湾曲部が前記バッテリー収容室に収容されるバッテリーの端面に係合することを特徴とする請求項１記載の電子機器。
【請求項８】
前記係止軸は、前記高さ方向と直交する仮想平面上を延在するように設けられ、前記係止軸の先部には、前記仮想平面上を延在する湾曲部が設けられていることを特徴とする請求項１記載の電子機器。
【発明の詳細な説明】
【技術分野】
【０００１】
本発明は電子機器に関する。
【背景技術】
【０００２】
デジタルスチルカメラなどの電子機器には、筐体に設けられバッテリーが収容されるバッテリー収容室と、バッテリー収容室を開閉する蓋体と、蓋体によりバッテリー収容室を開放した際にバッテリー収容室に収容されたバッテリーを突出させるバッテリー押し出しばねとを備えている。
従来、このようなバッテリー押し出しばねとして圧縮コイルばねが用いられている（特許文献１参照）。
【特許文献１】特開２００１−２２３４８０号公報
【発明の開示】
【発明が解決しようとする課題】
【０００３】
しかしながら、圧縮コイルばねは、バッテリーが装脱される方向に大きなスペースを要するため、バッテリー収容室の小型化を図る上で不利があった。
また、圧縮コイルばねが圧縮されたときに、圧縮コイルばねの反力を受けるバッテリー収容室の壁部で圧縮コイルばねの外径に対応した箇所に局所的な大きな力が掛かることから、バッテリー収容室を構成するハウジングが合成樹脂で形成されている場合、圧縮コイルばねの反力を受けるバッテリー収容室の壁部箇所にクリープなどによる劣化が生じるおそれもある。
このような劣化を避けるためには、壁部の肉厚を厚くしたり、あるいは、壁部として高強度な材料を用いることが必要となり、バッテリー収容室を形成する壁部の設計が制約を受ける不利がある。
本発明はこのような事情に鑑みなされたものであり、本発明の目的は、バッテリー収容室の小型化を図ることができ、設計の自由度を確保する上で有利な電子機器を提供することにある。
【課題を解決するための手段】
【０００４】
上述の目的を達成するため、本発明は、高さとこの高さよりも大きな寸法の幅と長さを有する矩形板状に形成された筐体と、前記筐体に設けられ、バッテリーの厚さに対応した高さとこの高さよりも大きな寸法のバッテリーの幅に対応した幅とバッテリーの長さに対応した奥行きを有するバッテリー収容室と、前記バッテリー収容室の開口を開閉する蓋体と、前記バッテリー収容室の奥部に配置され前記バッテリー収容室に収容されたバッテリーを前記開口から突出させる方向に付勢するバッテリー押し出しばねとを備えた電子機器であって、前記バッテリー収容室はその高さが前記筐体の高さと同じ向きになるように設けられ、前記筐体の内部に、前記筐体の幅方向および長さ方向に延在する薄板状のシャーシと、合成樹脂製のハウジングとが設けられ、前記ハウジングは、前記バッテリー収容室の高さ方向の一方の面をなし前記バッテリー収容室の幅と奥行きを有する底壁と、前記底壁の幅方向の両側から起立する側壁と、前記底壁の奥行き方向の端部から起立する奥部壁とを備え、前記シャーシと前記底壁が平行に対向し、かつ、前記両側の側壁の先端と前記奥部壁の先端とが前記シャーシに臨むように、前記シャーシとハウジングとが前記筐体の高さ方向に並べられて配設され、前記バッテリー収容室は前記シャーシとハウジングとにより形成され、前記バッテリー押し出しばねは、直線状に延在する支軸と、前記支軸の一方の端部に設けられた係止軸と、前記支軸の他方の端部に設けられた付勢用軸とを備え、前記係止軸により前記支軸の一方の端部の回転が阻止された状態で用いられ、前記付勢用軸が前記支軸を支点に揺動することで前記支軸の他方の端部が回転し、これにより、前記支軸のねじれによりその付勢力が前記付勢用軸に作用するトーションばねであり、前記支軸は前記バッテリー収容室の奥部で該バッテリー収容室の幅方向に延在するように前記バッテリー収容室を形成する壁部で支持され、前記係止軸は、前記支軸の一方の端部の回転を阻止するように前記バッテリー収容室を形成する壁部に係止され、前記付勢用軸はその先端が前記バッテリー収容室の奥部に臨み前記バッテリー収容室に収容されるバッテリーの端面に係合して前記支軸を支点に揺動することを特徴とする。
【発明の効果】
【０００５】
本発明によれば、バッテリー押し出しばねは、付勢用軸が支軸を支点として揺動し、付勢用軸は、バッテリーが装脱される方向に沿って大きなストロークで変位する。したがって、従来の圧縮コイルばねを用いる場合に比べて、バッテリーが装脱される方向に大きなスペースを要することなくバッテリー押し出しばねを配設でき、バッテリー収容室の小型化を図る上で有利となる。
また、バッテリー押し出しばねの反力は、主として係止軸収容溝で受けるものの支軸収容溝と係止軸収容溝とに分散して作用しており、従来のように、ハウジングの奥部壁に局所的に作用することはない。したがって、強度的な制約を受けることなく、バッテリー収容室を設計することが可能となる。
【発明を実施するための最良の形態】
【０００６】
（第１の実施の形態）
次に本発明の第１の実施の形態について図面を参照して説明する。
本実施の形態では、電子機器が撮像装置で構成されている場合について説明する。
図１は第１の実施の形態の撮像装置１０を前方から見た斜視図、図２（Ａ）は撮像装置１０を後方から見た斜視図、（Ｂ）は撮像装置１０にコネクタが装着された状態を示す斜視図、図３は撮像装置１０の構成を示すブロック図である。
図１に示すように、本実施の形態の撮像装置１０はデジタルスチルカメラであり、外装を構成する薄板状の筐体１２を有している。
筐体１２は、前後方向の厚さよりも大きな寸法の上下方向の高さと、上下方向の高さよりも大きな寸法の左右方向の幅を有している。
なお、本明細書において左右は、撮像装置１０を前方から見た状態でいうものとし、また、光学系の光軸方向で被写体側を前方といい、撮像素子側を後方という。
図１に示すように、筐体１２の前面右側部寄りの箇所には撮影光学系１４を収容保持する沈胴式の鏡筒１６が設けられている。
鏡筒１４は筐体１２の内部に組み込まれた駆動部１０８（図３参照）によって、図１に示すように、筐体１２の前面から前方に突出した使用位置（広角状態、望遠状態、および広角乃至望遠の中間状態）と、筐体１２に収容された収容位置（沈胴状態）との間を出没するように構成されている。
筐体１２の前面には、被写体に閃光を照射するフラッシュライト１６、オートフォーカス用の補助光およびセルフタイマーの動作状態を示す光を照射するＬＥＤランプ１８、光学式ビューファインダー装置を構成する対物レンズ２０が設けられている。
筐体１２の上端面には、シャッタボタン２２、ズームレバー２４、電源スイッチ２６、マイクロフォン２８が設けられている。
【０００７】
図２（Ａ）に示すように、筐体１２の後面には、撮像した映像や各種メニュー画面などを表示するディスプレイ３０、光学式ビューファインダー装置を構成する接眼窓３２、撮影モード、再生モードなどを切り換えるための操作ダイアル３４、撮影にまつわる種々の設定やメニュー画面の切り換えなどを行なうための十字操作ボタン３６、メニュー画面呼び出しなどの各種の操作を行うための複数の操作スイッチ３８、スピーカー４０が設けられている。
また、筐体１２の左側面の上部には、図２（Ａ）、（Ｂ）に示すように、撮像装置１０の外部に設けられた外部機器（不図示）の外部コネクタＣＮが装脱されるコネクタ収容室４２が設けられている。
コネクタ収容室４２の奥部には外部コネクタＣＮと電気的に接続される内部コネクタ１１４（図３参照）が設けられている。
さらに、図１０に示すように、筐体１２の下部左寄りの箇所には、バッテリー５８（図１５、図１６参照）が収容されるバッテリー収容室６０が設けられている。
【０００８】
図３に示すように、撮像装置１０は、鏡筒１６の後端部分に配設され撮影光学系１４によって結像された被写体像を撮像するＣＣＤやＣＭＯＳセンサなどで構成された撮像素子１０２、該撮像素子１０２から出力された撮像信号に基づいて画像データを生成し、メモリカードなどの記憶媒体１１２に記録する画像処理部１０４、前記画像データをディスプレイ３０に表示させる表示制御部１０６、鏡筒１６の出没動作、ズーミング動作などを行う駆動部１０８、上述したシャッタボタン２２、ズームレバー２４、操作ダイアル３４、十字操作ボタン３６、操作スイッチ３８の操作に応じて画像処理部１０４、表示制御部１０６、駆動部１０８を制御するＣＰＵを含む制御部１１０などを備えている。
また、撮像装置１０には、外部コネクタＣＮから内部コネクタ１１４を介して入力される直流電源を所定の電圧および電流に調整し、撮像素子１０２、画像処理部１０４、表示制御部１０６、駆動部１０８、制御部１１０などに供給する電源部１１６が設けられている。
【０００９】
図４、図５は開閉蓋４６の取り付け構造を示す分解斜視図、図６（Ａ）は開閉蓋４６の閉塞状態を示す斜視図、（Ｂ）は開閉蓋４６の開放状態を示す斜視図、図７は開閉蓋４６の閉塞状態と第１の開放状態を示す図、図８は開閉蓋４６の閉塞状態と第２の開放状態を示す図である。
コネクタ収容室４２は、筐体１２で支持された支軸４４を支点に揺動する開閉蓋４６により開閉され、次にこの開閉構造について説明する。
図４、図６、図７、図８に示すように、筐体１２の左側面の箇所に、コネクタ収容室４２の周囲に延在する外方に開放状の凹部４８が設けられ、凹部４８は、底壁４８０２と、底壁４８０２の周囲から起立する側壁４８０４とを備えている。
コネクタ収容室４２の下方に位置する底壁４８０２の両側箇所には、それぞれ溝状の軸受部５０が設けられ、さらに両軸受部５０の間に位置する底壁４８０２箇所には開閉蓋４６の基部が収容される基部収容用凹部４８０６が設けられている。
また、コネクタ収容室４２の前後に位置する底壁４８０２箇所には、それぞれ係合凹部４８０８が設けられている。
また、コネクタ収容室４２の上方に位置する側壁４８０４の先部には、指掛け用の凹部４８１０が設けられている。
さらに、図７、図８に示すように、コネクタ収容室４２の下方に位置する側壁４８０４の先部には、筐体側突起５２が設けられている。
筐体側突起５２が凹部４８に臨む面には、案内面５２０２が形成されている。
【００１０】
図４、図５に示すように、支軸４４は、その長手方向の両端に位置する第１軸部４４０２と、それら第１軸部４４０２の間に設けられ第１軸部４４０２の延在方向と直交する方向に離間しかつ第１軸部４４０２と平行に延在する第２の軸部４４０４とを有している。
支軸４４は、その両端の第１軸部４４０２が軸受部５０に回転可能に装着されることで配設されている。
また、図７に示すように、第２の軸部４４０４は、第１軸部４４０２よりもコネクタ収容室４２から離れかつ凹部４８の底壁４８０２に近接した第１の位置（イ）に位置できるように配設され、また、図８に示すように、第２の軸部４４０４は、凹部４８の底壁４８０２から最も離れた第２の位置（ロ）に位置できるように配設されている。
【００１１】
開閉蓋４６は、凹部４８の輪郭に対応した形状の矩形に形成され、開閉蓋４６によりコネクタ収容室４２を閉塞する際に同時に凹部４８も閉塞するようにしている。
図７、図８に示すように、開閉蓋４６は、凹部４８とともにコネクタ収容室４２を閉塞した際に凹部４８の底壁４８０２に臨む裏面４６０２と外部に臨む表面４６０４とを有している。
図５に示すように、裏面４６０２の一側には、第２の軸部４４０４が回転可能に装着される溝状の軸受部５４が設けられ、開閉蓋４６はこの軸受部５４に第２の軸部４４０４が回転可能に装着されることで筐体１２に配設されている。
図７、図８に示すように、開閉蓋４６は、第２の軸部４４０４により支持される箇所が基部４６１０となり、基部４６１０から最も離れた箇所が自由端４６１２となり、自由端４６１２に位置する表面４６０４の箇所には指掛け用の突起４６０６が設けられ、この突起４６０６は、開閉蓋４６でコネクタ収容室４２を閉塞した際に、指掛け用の凹部４８１０に臨む箇所に位置する。
また、図５に示すように、裏面４６０２の両側箇所には、係合凹部４８０８に係脱する係合凸部４６０８が設けられている。
さらに、自由端４６１２と反対に位置する基部４６１０の端部には、案内面５２０２に係合可能な開閉蓋側突起５６が設けられている。
【００１２】
開閉蓋４６は、第２の軸部４４０４が第１の位置（イ）に位置した状態で第２の軸部４４０４を支点として自由端４６１２が揺動することで図７に示すように凹部４８とともにコネクタ収容室４２を開閉するように設けられ、凹部４８とともにコネクタ収容室４２を閉塞した状態で、係合凹部４８０８に係合凸部４６０８が係合し、開閉蓋４６によるコネクタ収容室４２の閉塞状態が形成されるように構成されている。
この閉塞状態で、開閉蓋側突起５６は筐体側突起５２の内側に位置し、言い換えると、開閉蓋側突起５６は筐体側突起５２で覆われ、したがって、凹部４８内に位置する支点を中心に開閉蓋４６が揺動するにも拘わらず、開閉蓋４６と凹部４８との間に大きな隙間を生じることなくコネクタ収容室４２の閉塞状態が形成される。
また、この閉塞状態で、図６（Ａ）に示すように、開閉蓋４６の表面４６０４と筐体１２の左側面とが同一面上に位置する。
また、図７に示すように、コネクタ収容室４２が閉塞される際に、開閉蓋側突起５６が案内面５２０２により閉じる方向に案内され、開閉蓋４６の閉塞動が円滑に行なわれるように図られる。
【００１３】
また、図７に示すように、第２の軸部４４０４が第１の位置（イ）に位置した状態で開閉蓋４６がコネクタ収容室４２から離れる方向に開き、開閉蓋４６が底壁４８０２に対して直交する方向に延在する第１の開放状態（ハ）が形成される。
また、開閉蓋４６を引き出すと第２の軸部４４０４は第１軸部４４０２を中心に回転し、図８に示すように、第２の軸部４４０４は第２の位置（ロ）に位置し、この状態で開閉蓋４６を第１の開放状態（ハ）よりもコネクタ収容室４２から離れる方向に大きく開かせることができ、図８に想像線で示すように、筐体１２の左側面上に倒れた第２の開放状態（ニ）が形成される。
【００１４】
上述のように開閉蓋４６の開閉構造を構成した場合には、次のような利点がある。
第２の軸部４４０４が第１の位置（イ）に位置した状態で、開閉蓋４６の揺動によりコネクタ収容室４２の開閉がなされる。
そして、コネクタ収容室４２の閉塞状態で、開閉蓋側突起５６が筐体側突起５２で覆われ、したがって、凹部４８の全周にわたり開閉蓋４６により凹部４８が隙間無く閉塞され、これによりコネクタ収容室４２が閉塞されることになる。また、開閉蓋４６の表面４６０４と筐体１２の左側面とが同一平面上に位置し、外観性を高める上で有利となる。
また、コネクタ収容室４２の開放状態で、開閉蓋４６はコネクタ収容室４２から離れ、コネクタ収容室４２での外部コネクタＣＮの装脱が支障なく行なわれる。
また、コネクタ収容室４２が閉塞される際に、開閉蓋側突起５６が案内面５２０２により閉じる方向に案内されるので、第２の軸部４４０４が第１の位置（イ）と第２の位置（ロ）との間で移動できるにも拘わらず、開閉蓋４６の閉塞動を円滑に確実に行う上で有利となる。
また、開放時に開閉蓋４６を底壁４８０２から離れる方向に引っ張ると、第２の軸部４４０４は第１の位置（イ）から第２の位置（ロ）に移動し、この状態で開閉蓋４６を開放方向に揺動させることで、コネクタ収容室４２から大きく離れた第２の開放状態（ニ）が形成される。したがって、開閉蓋４６を第２の開放状態（ニ）にすると、コネクタ収容室４２での外部コネクタＣＮの装脱をより円滑に行なう上で有利となる。
さらに、このように開閉蓋４６を揺動させることでコネクタ収容室４２を開閉するので、開閉蓋４６をエラストマーなどの弾性材料で形成する必要がなく、開閉蓋４６を筐体１２と同一の材料であるいは似たような材料で形成でき、外観性を高める上で有利となり、また、開閉蓋の部分をコネクタ収容室近傍の角部に配置する必要がなくなり、コネクタ収容室４２のレイアウト上も有利となる。
【００１５】
次に、直線状に延在する支軸４４を用いた図９の比較例を参照してさらに説明する。
図９（Ａ）に示す第１の比較例は、筐体１２に設けられた支軸４４に開閉蓋４６の軸受部５４が回転可能に装着されたものである。
この第１の比較例では、支軸４４が筐体１２の外面近傍に配置されているために、開閉蓋４６の軸受部５４が筐体１２の外方に突出してしまい、筐体１２の外観性が低下する不利がある。
これに比較して、上述のように構成した場合には、コネクタ収容室４２の閉塞状態で、開閉蓋４６の表面４６０４と筐体１２の外面とが同一面に位置するため外観性を高める上で有利となる。
【００１６】
図９（Ｂ）に示す第２の比較例は、第１の比較例に比べて軸受部５４を筐体１２の内方寄りの箇所に配置したものである。
この第２の比較例では、軸受部５４が筐体１２の表面から突出しないが、軸受部５４と、軸受部５４に臨む筐体１２の縁部との隙間が大きくなるため、筐体１２の外観性が低下する不利がある。
これに比較して、上述のように構成した場合には、コネクタ収容室４２の閉塞状態で、開閉蓋側突起５６が筐体側突起５２で覆われ、凹部４８の全周にわたり開閉蓋４６により隙間無く閉塞されるため、外観性を高める上で有利となる。
【００１７】
図９（Ｃ）に示す第３の比較例は、支軸４４が挿通される軸受部５４の孔を長孔５４０１とすることで、開閉蓋４６を長孔５４０１の延在方向に沿ってスライドさせつつ開閉蓋４６の開閉を行なうものである。
この第３の比較例では、軸受部５４が筐体１２の表面から突出せず、開閉蓋５４と筐体１２の縁部との隙間も小さくできるが、開閉時に開閉蓋４６をスライドさせなくてはならないことから操作が繁雑であり、また、開閉蓋４６をスライド可能とすることからその配置場所が角部を含む筐体１２の箇所に限定されコネクタ収容室４２の設計の自由度を確保する上で不利がある。
これに比較して、上述のように構成した場合には、開閉蓋４６を揺動させる構成であるため、開閉時の操作性を高める上で有利であり、また、コネクタ収容室４２の配置場所の制約がなく設計の自由度を高める上で有利となる。
【００１８】
次に、バッテリー収容室６０および本発明に係るバッテリー押し出しばね６２について説明する。
図１０は撮像装置１０のバッテリー収容室６０近傍の斜視図、図１１は図１０のＡＡ線断面図、図１２、図１３はバッテリー押し出しばね６２の組み付け構造を示す斜視図、図１４（Ａ）はバッテリー押し出しばね６２の斜視図、（Ｂ）は（Ａ）のＢ矢視図、（Ｃ）は（Ｂ）のＣ矢視図、（Ｄ）は（Ｂ）のＤ矢視図、（Ｅ）は（Ｄ）のＥ矢視図である。
図１５はバッテリー収容室６０にバッテリー５８が挿入される途中の状態を示す斜視図、図１６はバッテリー収容室６０にバッテリー５８が収納された状態を示す説明図である。
図１７（Ａ）乃至（Ｃ）はバッテリー押し出しばね６２の変位を示す説明図である。
【００１９】
バッテリー５８は、図１５に示すように、厚さと、この厚さよりも大きな寸法の幅および長さを有し、矩形板状に形成されている。
バッテリー５８の長さ方向の一方の面である前端面５８０２の幅方向の半部には、２つの電源供給用の端子と、１つの通信用の端子との３つの端子５８０４が幅方向に間隔をおいて並べて設けられ、残りの半部は平坦面として形成されている。
バッテリー５８の長さ方向の他方の面である後端面（不図示）は平坦面として形成されている。
【００２０】
バッテリー収容室６０は、バッテリー５８の厚さ、幅、長さに対応した高さ、幅、奥行きを有し、したがって、バッテリー収容室６０は高さとこの高さよりも大きな寸法の幅と奥行きを有している。
そして、バッテリー収容室６０はその高さが筐体１２の厚さと同じ向きになるように設けられている。
【００２１】
図１１に示すように、筐体１２は、筐体１２の前面を構成するフロントカバー６４と、フロントカバー６４と連結され筐体１２の後面を構成するリアカバー６６と、リアカバー６６の内面に沿って延在形成された金属製で薄板状のシャーシ６８とを備え、したがって、シャーシ６８は筐体１２の高さ方向および幅方向に延在している。
そして、シャーシ６８とフロントカバー６４の間に、鏡筒１６と、合成樹脂製のハウジング７０が設けられている。
図１２に示すように、ハウジング７０は、バッテリー収容室６０の高さ方向の一方の面をなしバッテリー収容室６０の幅と奥行きを有する底壁７００２と、底壁７００２の幅方向の両側から起立する側壁７００４と、底壁７００２の奥行き方向の一方の端部から起立する奥部壁７００６と、底壁７００２の奥行き方向の他方の端部から起立する端壁７００８（図１０参照）とを有している。
図１１に示すように、シャーシ６８と底壁７００２が平行に対向し、かつ、両側の側壁７００４の先端と奥部壁７００６の先端とがシャーシ６８に臨み、さらに、端壁７００８が筐体１２の下面に位置するように、シャーシ６８とハウジング７０とが筐体１２の厚さ方向に並べられて配設され、したがって、本実施の形態では、バッテリー収容室６０はシャーシ６８とハウジング７０とにより形成されている。
【００２２】
図１４（Ａ）乃至（Ｅ）に示すように、バッテリー押し出しばね６２は、直線状に延在する支軸６２０２と、支軸６２０２の一方の端部６２０２Ａに設けられた係止軸６２０４と、支軸６２０２の他方の端部６２０２Ｂに設けられた付勢用軸６２０６とを備えている。
このバッテリー押し出しばね６２は、係止軸６２０４により支軸６２０２の一方の端部６２０２Ａの回転が阻止された状態で用いられ、付勢用軸６２０６が支軸６２０２を支点に揺動することで支軸６２０２の他方の端部６２０２Ｂが回転し、これにより、支軸６２０２のねじれによりその付勢力が付勢用軸６２０６に作用するトーションばね（ねじりばね）である。
本実施の形態では、付勢用軸６２０６の先部は、該付勢用軸６２０６が支軸６２０２を中心として揺動する仮想平面内で湾曲状に延在形成された湾曲部６２０６Ａとして形成され、バッテリー５８の平坦面の損傷の防止が図られている。
また、本実施の形態では、係止軸６２０４の先部は、前記仮想平面と直交する別の仮想平面内で湾曲状に延在形成された湾曲部６２０４Ａとして形成され、支軸６２０２の一方の端部６２０２Ａの回転を確実に阻止できるように図られている。
【００２３】
図１２に示すように、筐体１２の左側壁７００４から離れた奥部壁７００６の幅方向の半部には、バッテリー５８の３つの端子５８０４に接続する３つの端子７０１０（特許請求の範囲の電気接片に相当）が設けられている。
また、筐体１２の左の側壁７００４寄りの奥部壁７００６の幅方向の半部でシャーシ６８に臨む端部（バッテリー収容室６０の高さ方向の一方の端部寄りの箇所）には、支軸６２０２が挿入される支軸収容溝７０１２がバッテリー収容室６０の幅方向に沿って直線状に延在形成されている。
支軸収容溝７０１２の延在方向の一方の端部７０１２Ａは、バッテリー収容室６０の幅方向の中央に位置し、支軸収容溝７０１２の延在方向の他方の端部７０１２Ｂは右側の側壁７００４の近傍箇所に位置している。
さらに、支軸収容溝７０１２の延在方向の他方の端部７０１２Ｂに接続するように、支軸収容溝７０１２の延在方向と直交する方向であるバッテリー収容室６０の奥行き方向に延在する係止軸収容溝７０１４が設けられている。本実施の形態では、図１２乃至図１６に示すように、係止軸収容溝７０１４はバッテリー収容室６０の奥部で幅方向の端部の角部寄りの箇所に設けられている。
また、底壁７００２の中央で奥部壁７００６寄りの箇所に、付勢用軸６２０６の揺動ストロークを大きく確保するための切り欠き７０１６が設けられている。
【００２４】
図１０に示すように、端壁７００８には、バッテリー装脱用の開口７２が設けられ、また、底壁７００２を挟んで開口７２と反対の箇所にメモリカード用装脱口７４が設けられている。
バッテリー収容室６０が筐体１２の下面に臨む箇所には、開口７２を開閉する蓋体７６がヒンジ７６０２を介して揺動可能に取着されている。なお、蓋体７６によってバッテリー収容室６０を閉塞した閉塞状態を保持するロック機構が設けられ、ロック機構による蓋体７６のロックを解除することで蓋体７６の開放が許容され、このようなロック機構として従来公知の様々な構造が採用可能である。
また、開口７２に臨むハウジング７０箇所には、係合爪７８が開口７２内に出没可能で突出する方向に付勢して設けられ、バッテリー収容室６０に収容されたバッテリー５８の後端面に係合爪７８が係合することで、バッテリー５８のバッテリー収容室６０への収容状態が保持され、係合爪７８が退避してバッテリー収容室６０に収容されたバッテリー５８の後端面との係合が解除されることにより、バッテリー５８の取り出しが可能となっており、係合爪７８の開口７２外への退避はユーザーの指により行われる。
【００２５】
次に、バッテリー押し出しばね６２の配設について説明する。
図１２、図１３に示すように、支軸６２０２は支軸収容溝７０１２に収容され、これにより支軸６２０２はバッテリー収容室６０の奥部で該バッテリー収容室６０の幅方向に延在するように配設される。
係止軸６２０４は、その湾曲部６２０４Ａが係止軸収容溝７０１４に収容され、付勢用軸６２０６が揺動した際に支軸６２０２の一方の端部６２０２Ａの回転を阻止するように配設される。本実施の形態では、湾曲部６２０４Ａを含む係止軸６２０４は、バッテリー収容室６０の高さ方向と直交する仮想平面上を延在する。
このような支軸６２０２と係止軸６２０４の配設により、付勢用軸６２０６はバッテリー収容室６０の奥部で幅方向の中央に位置し、その先部の湾曲部６２０６Ａが該バッテリー収容室６０に収容されるバッテリー５８の前端面５８０２に係合可能に配設されることになる。本実施の形態では、湾曲部６２０６Ａを含む付勢用軸６２０６はバッテリー収容室６０の幅方向に対して直交する仮想平面上を延在する。
【００２６】
次に、バッテリー押し出しばね６２の作用について説明する。
図１５、図１７（Ａ）に示すように、バッテリー収容室６０にバッテリー５８が挿入されると、やがて、図１７（Ｂ）に示すように、バッテリー５８の前端面５８０２に付勢用軸６２０６の湾曲部６２０６Ａが当接し、さらにバッテリー５８が挿入されることで付勢用軸６２０６は支軸６２０２を中心として揺動する。
やがて、図１６、図１７（Ｃ）に示すように、バッテリー５８が完全に装着された状態で、付勢用軸６２０６の湾曲部６２０６Ａの半部は切り欠き７０１６からバッテリー収容室６０の外方に変位する。
したがって、係止軸６２０４により支軸６２０２の一方の端部６２０２Ａの回転が阻止されており、また、付勢用軸６２０６により支軸６２０２の他方の端部６２０２Ｂが回転変位されているので、支軸６２０２のねじれによりその付勢力が付勢用軸６２０６の湾曲部６２０６Ａからバッテリー５８に作用し、バッテリー５８は開口７２から突出する方向に常時付勢されることになる。
したがって、蓋体７６を開き、係合爪７８を開口７２外にスライドさせることで、バッテリー５８は開口７２から突出する。
【００２７】
次に、本実施の形態の効果について説明する。
本実施の形態によれば、バッテリー押し出しばね６２は、付勢用軸６２０６が支軸６２０２を支点として揺動し、付勢用軸６２０６は、バッテリー５８が装脱される方向に沿って大きなストロークで変位するので、従来の圧縮コイルばねを用いる場合に比べて、バッテリー５８が装脱される方向に大きなスペースを要することなくバッテリー押し出しばね６２を配設でき、バッテリー収容室６０の小型化を図る上で有利となる。
また、バッテリー押し出しばね６２は、支軸６２０２が支軸収容溝７０１２で支持され、係止軸６２０４が係止軸収容溝７０１４に係止されているので、バッテリー５８を開口７２から突出させる方向に付勢するバッテリー押し出しばね６２の反力は、主として係止軸収容溝７０１４で受けるものの支軸収容溝７０１２と係止軸収容溝７０１４とに分散して作用しており、従来のように、ハウジング７０の奥部壁７００６に局所的に作用することはない。したがって、クリープなどを考慮することなく、また、壁部の肉厚を厚くしたり、あるいは、壁部として高強度な材料を用いることなく合成樹脂製のハウジングを使用でき、このような強度的な制約を受けることなく、バッテリー収容室を設計することが可能となる。
【００２８】
また、本実施の形態では、係止軸収容溝７０１４は、ハウジング７０の角部に位置しており、角部は奥部壁７００６と左の側壁７００４とが交差する箇所でもともと剛性が高い箇所であるので、係止軸収容溝７０１４を強固な構造にでき、係止軸６２０４を確実に係止し支軸６２０２の一方の端部６２０２Ａの回転を確実に阻止することができる。
また、特に、撮像装置においては、バッテリー収容室の奥部壁には、バッテリーの端子に接続される端子の他に、部品を取り付けるためのボスなどの構造が設けられることが多いため、スペースが狭く、従来のように占有スペースが大きな圧縮コイルばねばねを用いると、バッテリー収容室の小型化を図る上で不利があるのに対して、本実施の形態では、バッテリー押し出しばね６２をトーションばねとしたので占有スペースが少なくて済み、撮像装置のバッテリー収容室の小型化を図る上で格段に有利となる。
また、バッテリー収容部６０の奥部の幅方向の中央から一側寄りに３つの端子７０１０が配設され、奥部の幅方向の残りの部分がデッドスペースになっており、このデッドスペースにバッテリー押し出しばね６２を配置したので、バッテリー収容室６０および撮像装置１０の小型化を図る上でより有利となる。
【００２９】
また、本実施の形態では、電子機器として撮像装置であるデジタルスチルカメラを用いて説明したが、本発明は、ビデオカメラ、その他種々の撮像装置、あるいは、携帯電話機、ＰＤＡ（パーソナルデジタルアシスタント）やノートパソコンなどのバッテリー収容室を備える電子機器に広く適用可能である。
【図面の簡単な説明】
【００３０】
【図１】第１の実施の形態の撮像装置１０を前方から見た斜視図である。
【図２】（Ａ）は撮像装置１０を後方から見た斜視図、（Ｂ）は撮像装置１０にコネクタが装着された状態を示す斜視図である。
【図３】撮像装置１０の構成を示すブロック図である。
【図４】開閉蓋４６の取り付け構造を示す分解斜視図である。
【図５】開閉蓋４６の取り付け構造を示す分解斜視図である。
【図６】（Ａ）は開閉蓋４６の閉塞状態を示す斜視図、（Ｂ）は開閉蓋４６の開放状態を示す斜視図である。
【図７】開閉蓋４６の閉塞状態と第１の開放状態を示す図である。
【図８】開閉蓋４６の閉塞状態と第２の開放状態を示す図である。
【図９】（Ａ）は第１の比較例を示す図、（Ｂ）は第２の比較例を示す図、（Ｃ）は第３の比較例を示す図である。
【図１０】撮像装置１０のバッテリー収容室６０近傍の斜視図である。
【図１１】図１０のＡＡ線断面図である。
【図１２】バッテリー押し出しばね６２の組み付け構造を示す斜視図である。
【図１３】バッテリー押し出しばね６２の組み付け構造を示す斜視図である。
【図１４】（Ａ）はバッテリー押し出しばね６２の斜視図、（Ｂ）は（Ａ）のＢ矢視図、（Ｃ）は（Ｂ）のＣ矢視図、（Ｄ）は（Ｂ）のＤ矢視図、（Ｅ）は（Ｄ）のＥ矢視図である。
【図１５】バッテリー収容室６０にバッテリー５８が挿入される途中の状態を示す斜視図である。
【図１６】バッテリー収容室６０にバッテリー５８が収納された状態を示す説明図である。
【図１７】（Ａ）乃至（Ｃ）はバッテリー押し出しばね６２の変位を示す説明図である。
【符号の説明】
【００３１】
１０……撮像装置、１２……筐体、５８……バッテリー、６０……バッテリー収容室、６２……バッテリー押し出しばね、７６……蓋体と、６２０２……支軸、６２０４……係止軸、６２０６……付勢用軸。
【図１】
0004626818.tif 000002
【図２】
0004626818.tif 000003
【図３】
0004626818.tif 000004
【図４】
0004626818.tif 000005
【図５】
0004626818.tif 000006
【図６】
0004626818.tif 000007
【図７】
0004626818.tif 000008
【図８】
0004626818.tif 000009
【図９】
0004626818.tif 000010
【図１０】
0004626818.tif 000011
【図１１】
0004626818.tif 000012
【図１２】
0004626818.tif 000013
【図１３】
0004626818.tif 000014
【図１４】
0004626818.tif 000015
【図１５】
0004626818.tif 000016
【図１６】
0004626818.tif 000017
【図１７】
0004626818.tif 000018